(57)【要約】【課題】操作対象の設備オブジェクトに関係する他の設備オブジェクトが存在する場合、直接及び間接的に関係する設備も含めて一括で電力設備状態の変更操作をする仕組みを提供する。【解決手段】電力設備の設備情報を格納する設備情報データベースから設備情報を入出力する設備情報入出力装置４、設備情報入出力装置を介して設備情報データベース５から得た設備情報から接続関係および電気の流れの関係で特定の設備に関係を持つ設備オブジェクト群を構築する設備オブジェクト群構築装置３、及び設備オブジェクト群構築装置で得た設備オブジェクト群を操作する設備オブジェクト群操作装置２を備え、業務アプリケーションからの電力設備状態の変更操作により設備オブジェクト群の電力設備状態の変更をすることで設備オブジェクト群に含まれる設備オブジェクトの電力設備状態の変更を一括して実行する。【選択図】図１
2014191395.tif 000002
【特許請求の範囲】
【請求項１】
電力設備の設備情報を格納する設備情報データベース、上記設備情報データベースから上記設備情報を入出力する設備情報入出力装置、
上記設備情報入出力装置を介して上記設備情報データベースから得た設備情報から接続関係および電気の流れの関係で特定の設備に関係を持つ設備オブジェクト群を構築する設備オブジェクト群構築装置、
上記設備オブジェクト群構築装置によって得られた設備オブジェクト群を操作する設備オブジェクト群操作装置、および
電力設備の管理を行う業務アプリケーションを備え、
上記業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行する電力設備管理システム。
【請求項２】
電力設備の管理を行う業務アプリケーション、
電力設備の設備情報を格納する設備情報データベース、および
上記設備情報データベースから上記設備情報を入出力する設備情報入出力装置、上記設備情報入出力装置を介して上記設備情報データベースから得た設備情報から接続関係および電気の流れの関係で特定の設備に関係を持つ設備オブジェクト群を構築する設備オブジェクト群構築装置、および上記設備オブジェクト群構築装置によって得られた設備オブジェクト群を操作する設備オブジェクト群操作装置を有する設備情報処理装置、
を備え、
上記業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行する電力設備管理システム。
【請求項３】
請求項１または請求項２に記載の電力設備管理システムにおいて、
上記設備情報は、電気の流れの上流側の電力設備を親、電気の流れの下流側の電力設備を子とした親子関係が存在する設備情報であり、
上記設備オブジェクト群構築装置が、所定の上記電力設備から当該電力設備に関連する上記電力設備を上記下流側に向かって特定することにより上記設備オブジェクト群を構築する
ことを特徴とする電力設備管理システム。
【請求項４】
請求項１または請求項２に記載の電力設備管理システムにおいて、
上記設備情報は、電気の流れの上流側の上記電力設備を親、電気の流れの下流側の上記電力設備を子とした親子関係が存在する設備情報であり、
上記設備オブジェクト群構築装置が、所定の上記電力設備から当該電力設備に関連する電力設備を上記上流側に向かって特定することにより上記設備オブジェクト群を構築することを特徴とする電力設備管理システム。
【請求項５】
請求項３または請求項４に記載の電力設備管理システムにおいて、
上記親の電力設備と上記子の電力設備との間に新たな電力設備を追加する
ことを特徴とする電力設備管理システム。
【請求項６】
請求項３または請求項４に記載の電力設備管理システムにおいて、
所定の上記電力設備で親子関係を分離する
ことを特徴とする電力設備管理システム。
【請求項７】
請求項３または請求項４に記載の電力設備管理システムにおいて、
上記親の電力設備と上記子の電力設備との間に新たな電力設備を追加して上記親子関係を分離する
ことを特徴とする電力設備管理システム。
【請求項８】
請求項３または請求項４に記載の電力設備管理システムにおいて、
所定の上記電力設備を指定して複数の親子関係の電力設備を統合して新たな親子関係の電力設備を構築する
ことを特徴とする電力設備管理システム。
【請求項９】
電力設備の設備情報を格納する設備情報データベースから上記設備情報を入出力する設備情報入出力装置、
上記設備情報入出力装置を介して上記設備情報データベースから得た設備情報から接続関係および電気の流れの関係で特定の設備に関係を持つ設備オブジェクト群を構築する設備オブジェクト群構築装置、および
上記設備オブジェクト群構築装置によって得られた設備オブジェクト群を操作する設備オブジェクト群操作装置、
を備え、
業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行する電力設備情報処理装置。
【請求項１０】
請求項９に記載の電力設備情報処理装置において、
上記設備情報は、電気の流れの上流側の電力設備を親、電気の流れの下流側の電力設備を子とした親子関係が存在する設備情報であり、
上記設備オブジェクト群構築装置が、所定の上記電力設備から当該電力設備に関連する上記電力設備を上記下流側に向かって特定することにより上記設備オブジェクト群を構築する
ことを特徴とする電力設備情報処理装置。
【請求項１１】
請求項９に記載の電力設備情報処理装置において、
上記設備情報は、電気の流れの上流側の上記電力設備を親、電気の流れの下流側の上記電力設備を子とした親子関係が存在する設備情報であり、
上記設備オブジェクト群構築装置が、所定の上記電力設備から当該電力設備に関連する電力設備を上記上流側に向かって特定することにより上記設備オブジェクト群を構築することを特徴とする電力設備情報処理装置。
【請求項１２】
請求項１０または請求項１１に記載の電力設備情報処理装置において、
上記親の電力設備と上記子の電力設備との間に新たな電力設備を追加する
ことを特徴とする電力設備情報処理装置。
【請求項１３】
請求項１０または請求項１１に記載の電力設備情報処理装置において、
所定の上記電力設備で親子関係を分離する
ことを特徴とする電力設備情報処理装置。
【請求項１４】
請求項１０または請求項１１に記載の電力設備情報処理装置において、
上記親の電力設備と上記子の電力設備との間に新たな電力設備を追加して上記親子関係を分離する
ことを特徴とする電力設備情報処理装置。
【請求項１５】
請求項１０または請求項１１に記載の電力設備情報処理装置において、
所定の上記電力設備を指定して複数の親子関係の電力設備を統合して新たな親子関係の電力設備を構築する
ことを特徴とする電力設備情報処理装置。
【発明の詳細な説明】
【技術分野】
【０００１】
この発明は電力設備（電柱、電線、開閉器など）の設備管理業務を行う場合に使用される電力設備管理システムおよび電力設備情報処理装置に関するものである。
【背景技術】
【０００２】
電力設備の設備管理業務で管理する電力設備は、変電所から需要家に電気を供給するための電線、電柱、および電柱上に設置された変圧器や開閉器などである。
電力設備の維持管理業務には、電力設備の点検を計画し、計画に基づき点検を実施する業務が存在する。
点検業務は需要家に供給する電気を可能な限り停電させず、もしくは停電が発生する場合は停電範囲を可能な限り局所化して行う必要がある。そのため、一般的に電柱上に設置された開閉器を開くまたは閉じることにより、変電所からの電気の供給経路を変更する。
開閉器の開閉により電気の供給経路がどのように変化するかは事前に点検業務の前に設備管理システムを使用してシミュレーションを行う必要がある。このシミュレーションによって停電範囲が最小になる開閉器の開閉状態を求め、その結果を点検計画として策定する。
変電所から需要家まで電気を供給する電力設備の設備台帳には1000万レコードを超えるデータが存在しており、それぞれの設備間で互いに接続関係を持っている。
特許文献１に示す装置では、ある設備が他の設備と接続関係がどのように関連しているか、任意の１設備を変更することによって他の設備にどのように影響を与えるかというルールをデータベースに保持し、当該ルールを参照することで指定した設備とそれに関連する設備を更新する手段を備えている。
【先行技術文献】
【特許文献】
【０００３】
【特許文献１】特開平６−１７６０９０号公報（第２頁、第３頁、図１）
【発明の概要】
【発明が解決しようとする課題】
【０００４】
特許文献１に示す装置では、ある設備が他の設備と接続関係がどのように関連しているか、任意の１設備を変更することによって他の設備にどのように影響を与えるかというルールをデータベースに保持し、当該ルールを参照することで指定した設備とそれに関連する設備を更新する手段を備えている。
【０００５】
しかし、電力系統を構成する設備では、系統の上流に位置する設備オブジェクトの変更が系統の最下流にまで影響をおよぼす場合がある。このような場合、特許文献１の装置では、電力系統を構成する全ての設備に対して、個別にルールを参照し、ルールに基づく変更を順次行うことになる。そのため、業務アプリケーションに複雑なロジックを組み込むことによる製作工数の増加、処理性能の低下といった問題が発生する。また、変更は個々に行われるため、データの不整合が発生する問題もある。
【０００６】
また、特許文献１に示す装置でシミュレーションを行うとしてもシミュレーションは個々の設備に対して属性情報を変更することにより行うことになるため、シミュレーションを行う業務アプリケーションのロジックが複雑になり、製作工数が増大する。また、関係性を持つ設備を個別に操作するため、一連の操作が完了するまで、設備オブジェクト間でデータの不整合が発生する。
【０００７】
この発明は上記の問題点に鑑みてなされたものであり、電力設備管理システムおよび電力設備情報処理装置において、操作対象の設備オブジェクトに関係する他の設備オブジェクトが存在する場合、直接関係ある設備だけでなく間接的に関係する設備も含めて一括で電力設備状態の変更操作をする仕組みを提供することを目的とするものである。
【課題を解決するための手段】
【０００８】
本発明の電力設備管理システムは、電力設備の設備情報を格納する設備情報データベース、上記設備情報データベースから上記設備情報を入出力する設備情報入出力装置、上記設備情報入出力装置を介して上記設備情報データベースから得た設備情報から接続関係および電気の流れの関係で特定の設備に関係を持つ設備オブジェクト群を構築する設備オブジェクト群構築装置、上記設備オブジェクト群構築装置によって得られた設備オブジェクト群を操作する設備オブジェクト群操作装置、および電力設備の管理を行う業務アプリケーションを備え、上記業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行し、データの不整合を発生させない仕組みを提供するものである。
【発明の効果】
【０００９】
この発明は、電力設備の設備情報を格納する設備情報データベース、上記設備情報データベースから上記設備情報を入出力する設備情報入出力装置、上記設備情報入出力装置を介して上記設備情報データベースから得た設備情報から接続関係および電気の流れの関係で特定の設備に関係を持つ設備オブジェクト群を構築する設備オブジェクト群構築装置、上記設備オブジェクト群構築装置によって得られた設備オブジェクト群を操作する設備オブジェクト群操作装置、および電力設備の管理を行う業務アプリケーションを備え、上記業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行するので、業務アプリケーションの製作工数を低減し、データ間の不整合を無くすことができる効果がある。
【図面の簡単な説明】
【００１０】
【図１】この発明の実施の形態１を示す図で、設備情報処理装置のソフトウェア構成を例示する図である。
【図２】この発明の実施の形態１を示す図で、設備情報処理装置の内外でやりとりされるデータの事例を示す図である。
【図３】この発明の実施の形態１を示す図で、設備の関連を実現するためのデータ構造の例を示す図である。
【図４】この発明の実施の形態１を示す図で、設備の関連を可視化した図の例である。
【図５】この発明の実施の形態１を示す図で、動作・処理の例をフローチャートで示す図である。
【図６】この発明の実施の形態２を示す図で、動作・処理の例をフローチャートで示す図である。
【図７】この発明の実施の形態３を示す図で、ノードとブランチの接続関係の例を示す模式図である。
【図８】この発明の実施の形態３を示す図で、図７の状態におけるノード台帳の例を示す図である。
【図９】この発明の実施の形態３を示す図で、図７の状態におけるブランチ台帳の例を示す図である。
【図１０】この発明の実施の形態３を示す図で、動作・処理の例をフローチャートで示す図である。
【図１１】この発明の実施の形態４を示す図で、ノード分割実行前のノード、ブランチ構成の例を示す図である。
【図１２】この発明の実施の形態４を示す図で、ノード分割実行後のノード、ブランチ構成の例を示す図である。
【図１３】この発明の実施の形態４を示す図で、動作・処理の例をフローチャートで示す図である。
【図１４】この発明の実施の形態５を示す図で、ノード分割実行前のノード、ブランチ構成の例を示す図である。
【図１５】この発明の実施の形態５を示す図で、ノード分割実行後のノード、ブランチ構成の例を示す図である。
【図１６】この発明の実施の形態５を示す図で、動作・処理の例をフローチャートで示す図である。
【図１７】この発明の実施の形態６を示す図で、ノード結合実行前のノード、ブランチ構成の例を示す図である。
【図１８】この発明の実施の形態６を示す図で、結合対象ノードを残さないノード結合実行後のノード、ブランチ構成の例を示す図である。
【図１９】この発明の実施の形態６を示す図で、結合対象ノードを残したノード結合実行後のノード、ブランチ構成の例を示す図である。
【図２０】この発明の実施の形態６を示す図で、動作・処理の例をフローチャートで示す図である。
【図２１】この発明の実施の形態１〜６に関係する補足説明図であり、実体設備での接続関係と設備ＩＤでの接続関係とノード・ブランチでの接続関係との関連を対比して例示する図である。
【図２２】この発明の実施の形態１〜６に関係する補足説明図であり、実体設備での系統切替前および系統切替後のそれぞれの電気の流れを例示する図である。
【発明を実施するための形態】
【００１１】
実施の形態１．
以下この発明の実施の形態１を図１〜図５に基づいて説明する。
図１はこの発明の実施の形態１による設備情報処理装置のソフトウェア構成を示す図である。
図１において、電力設備情報処理装置１に設備オブジェクト群操作装置２、設備オブジェクト群構築装置３、設備情報入出力装置４が備わっており、設備情報入出力装置４を介して設備情報データベース５に格納されている設備情報を読み書きする。設備オブジェクト群操作装置２はシミュレーションを実行する業務アプリケーション６から使用され、次のように構成されている。
なお、以降の図面の記載において、同一または類似の部分には同一または類似の符号を付与している。ただし、図面は模式的なものであることに留意する必要がある。
【００１２】
以下、この発明の実施の形態１を図２に基づいて説明する。
図２において、電力会社配電部門が設備管理システムの点検業務アプリケーションを使用して、ある系統内の開閉器を開き、当該開閉器の下流に位置していた設備の系統情報を変更する場合を例として説明する。
【００１３】
設備オブジェクト群操作装置２は業務アプリケーションにて生成された操作対象設備キー１０、設備オブジェクト群に対する変更情報を読み込む。
【００１４】
設備オブジェクト群構築装置３は設備オブジェクト群操作装置２が読み込んだ操作対象設備キーを利用し、設備情報入出力装置４を介して、設備情報データベース５から設備情
報１２を取得する。
【００１５】
設備オブジェクト群構築装置３は取得した設備情報１２から、開閉器を示す操作対象設備キー１０に該当する設備情報を木構造の根（ルート）とするデータ構造に変換し、設備オブジェクト群１３を構築する。
【００１６】
設備オブジェクト群操作装置２は設備オブジェクト群１３に対して操作を行う。オブジェクト群１３のルートのオブジェクトは開閉器であり、その他のデータは開閉器が属していた系統かつ、開閉器から当該系統末端までの設備オブジェクト群である。この設備オブジェクト群に対して、設備オブジェクト群操作装置２を介して変更情報１１を適用する。
【００１７】
設備情報入出力装置４は設備オブジェクト群操作装置２で操作された設備オブジェクト群１４を読み込み、設備情報データベース５に書き込む。
【００１８】
操作対象設備キー１０は設備情報データベース５に格納されている設備情報を一意に識別できるキー情報であり、変更情報１１は同じく設備情報データベース５に格納されている設備情報の属性である。
【００１９】
設備情報１２は設備情報データベース５に格納されている設備情報そのものであり、リレーショナルデータベースを利用している場合はレコードに該当する。設備情報の属性には上位設備ＩＤの属性を持ち、図３に示すように、設備情報間で親子関係が構築されているものとする。
【００２０】
設備オブジェクト群１３は設備オブジェクト群構築装置３によって0個以上の設備情報から構築される木構造のデータである。たとえば、図３に示した設備情報を元に、設備ＩＤ＝０１１をルートとして構築すると、図４のようなデータとなる。
【００２１】
次に動作について説明する。ここでは業務アプリケーション６から、設備情報データベース５に格納されている設備情報のうち、設備ＩＤ＝０１３より下流の設備（以後、上流側は変電所側、下流側は需要家側とする）について系統ＩＤをＫ００１からＫ０１０に切り替える動作を例として示す。図５はこの発明の実施の形態１による設備情報処理装置の動作を示すフローチャート図である。
【００２２】
図５において、設備オブジェクト群操作装置２に業務アプリケーション６内で生成した操作対象設備キー１０（設備ＩＤ＝０１３、系統ＩＤ＝Ｋ０１０）、変更情報１１（系統ＩＤ＝Ｋ０１０）が渡される（ステップＳ００１）。
設備オブジェクト群操作装置２は設備オブジェクト群構築装置３に設備情報データベース５から取得するデータを特定するための操作対象設備キー１０を設備オブジェクト群構築装置３に渡す（ステップＳ００２）。
設備オブジェクト群構築装置３は設備情報入出力装置４を介して（ステップＳ００３）、設備情報データベース５から、操作対象設備キー１０に対応する設備情報を取得する（ステップＳ００４）。
【００２３】
ステップＳ００４で取得した設備情報の設備ＩＤを親設備ＩＤとし、系統ＩＤが同一である他設備情報を取得する（ステップＳ００５）。
ステップＳ００５によって他設備情報を取得できた場合（ステップＳ００６→ＹＥＳ）は、ステップＳ００５を再度実行し、他設備情報が取得できなくなるまで（ステップＳ００６→ＮＯ）繰り返す。
ステップＳ００６で設備情報が存在しなくなった場合（ステップＳ００６→ＮＯ）、ステップＳ００４およびステップＳ００５で取得した設備情報を使用し、ステップＳ００４で取得した設備情報をルートとする、木構造の設備オブジェクト群に変換する（ステップＳ００７）。
【００２４】
ステップＳ００７によって得られた設備オブジェクト群に対して、設備オブジェクト群操作装置２が取得した変更情報１１を適用し、系統ＩＤをＫ００１からＫ０１０に書き換える（ステップＳ００８）。
ステップＳ００８によって変更操作が行われた設備オブジェクト群１４はメモリ上に存在するため、設備情報入出力装置４を介して、設備情報データベース５に格納する（ステップＳ００９）。
【００２５】
上記、実施の形態１によれば、業務アプリケーション６は設備情報処理装置１の設備オブジェクト群操作装置２に操作対象設備キー１０、変更情報１１を渡すだけで設備情報変更操作を完了することが可能となる。つまり、業務アプリケーション６内で、設備情報を変更するためのステップＳ００４〜ステップＳ００９に示すロジックを持つ必要がなくなり、製作量の低減を図ることが可能になる。
【００２６】
また、ステップＳ００７で構築した設備オブジェクト群に対して一括で変更情報を適用し、当該オブジェクト群を設備情報データベース５に格納するため、設備データベース５上でデータ不整合が発生することを防止できる。
【００２７】
実施の形態２．
実施の形態１では指定された設備から同一系統の末端設備までに対する変更操作を示したが、実施の形態２では、指定された設備に対してどのような経路で供給されているか、すなわち、指定された設備から同一系統内を最上流まで辿る場合を例として実施する。
【００２８】
図６は、この発明の実施の形態２によるフローチャート図である。
設備オブジェクト群操作装置２に業務アプリケーション６内で生成した操作対象設備キー１０（設備ＩＤ＝０３５、系統ＩＤ＝Ｋ００１）が渡される（ステップＳ１０１）。
ステップＳ１０２、ステップＳ１０３、ステップＳ１０４は、図５に示すステップＳ００２、ステップＳ００３、ステップＳ００４と同一である。
ステップＳ１０４で取得した設備情報の親設備ＩＤを設備ＩＤとし、系統ＩＤが同一である他設備ＩＤを取得する（ステップＳ１０５）。
【００２９】
ステップＳ１０５によって他設備情報を取得できた場合かつ、親設備ＩＤが“−”（親設備が存在しないことを示す）でない場合（ステップＳ１０６→ＹＥＳ）は、ステップＳ１０５を再度実行し、他設備情報が取得できなくなるまで、取得した設備情報の親設備ＩＤが”−”になるまで（ステップＳ１０６→ＮＯ）繰り返す。
ステップＳ１０６で設備情報が存在しなくなった場合または、親設備が存在しないと判定されて場合（ステップＳ１０６→ＮＯ）、ステップＳ１０４およびステップＳ１０５で取得した設備情報を使用してステップＳ１０４をルートとする木構造の設備オブジェクト群に変換する（ステップＳ１０７）。
ステップＳ１０７で構築した設備オブジェクト群はメモリ上に存在しており、当該設備オブジェクト群のデータを業務アプリケーションに返す（ステップＳ１０８）。
【００３０】
上記、実施の形態２によれば、操作対象設備キー１０を渡すだけで、指定した設備から上流側に向って、関係する設備を取得することが可能となる。つまり、業務アプリケーション６内で、設備情報を変更するためのステップＳ１０４〜ステップＳ１０８に示すロジックを持つ必要がなくなり、製作量の低減を図ることが可能になる。
【００３１】
実施の形態３．
実施の形態１および実施の形態２では、系統内のある範囲を対象にした操作ついて述べたが、実施の形態３では、配電系統を構成する電柱や変圧器、開閉器等の点設備や電線・ケーブル等の線設備に対しての操作について、電力会社配電部門が設備管理システムの点検管理業務アプリケーションを使用したシミュレーションを行う場合を例に説明する。これ以降、配電系統を構成する電路の分岐部および末端部と開閉器をノード、上記ノード間を接続する仮想的な電路をブランチと表記し、設備と同等に扱うこととする。
【００３２】
図７はノード７００、ノード７０２間がブランチ７０１で接続されている状態を示したものである。図８、図９は図７の状態におけるノード台帳、ブランチ台帳である。ノード７０３をノード７００およびノード７０２間に割り込ませ、新規ブランチを作成する場合、すなわち、ノードの割り込みを例として示す。
【００３３】
図１０はこの発明の実施の形態３による設備情報処理装置の動作を示すフローチャート図である。
業務アプリケーション６内で生成した割り込み対象ノードＩＤおよび追加ノードＩＤが設備オブジェクト群操作装置２に渡される（ステップＳ２０１）。
設備オブジェクト群操作装置は割り込み対象ノード、追加ノードの情報を設備オブジェクト群構築装置３に渡す（ステップＳ２０２）。
設備オブジェクト群構築装置３は設備情報入出力装置４を介してブランチ台帳から、上位ノードＩＤにノードＩＤ＝７００を持つブランチＩＤ＝７０１のデータを取得する（ステップＳ２０３）。
【００３４】
続いて、設備オブジェクト群操作装置３はステップＳ２０３で取得したブランチＩＤ＝７０１の上流ノードＩＤをステップＳ２０１で取得した追加ノードＩＤである７０３に変更する（ステップＳ２０４）。
設備オブジェクト群操作装置３は新規にブランチ７０４を生成し、当該ブランチの上流ノードＩＤをステップＳ２０１で取得したノードＩＤ＝７００にセットする（ステップＳ２０５）。
ステップＳ２０５およびステップＳ２０６で変更・生成したノード情報・ブランチ情報をノード台帳、ブランチ台帳に設備情報入出力装置４を介して格納する（ステップＳ２０６）。
【００３５】
実施の形態３によれば、業務アプリケーションがノード間に新規ノードを追加する場合に、従来であれば、新規ノード情報の追加、上流ノードの変更、新規ブランチ情報の追加、すなわち、ステップＳ２０４、ステップＳ２０５を業務アプリケーション内で行う必要があったが、設備オブジェクト群操作装置２を使用することによって、これらステップを持つ必要が無くなる。これによって、業務アプリケーションの製作量低減を図ることが可能になる。
また、データベースへの書き込みはステップＳ２０６でのみ発生するため、ステップの途中で何らかのエラーが発生し、処理が中断、中止されたとしてもデータベース上のデータには影響を及ぼさない。
なお、本実施の形態３ではノードを追加する例を説明したが、ブランチを追加する場合でも同様である。
【００３６】
実施の形態４．
上記、実施の形態３では、ノードの割り込みについて述べた。実施の形態４では、ノードを分割する場合を説明する。
図１１はノード８００、ブランチ８０１、ノード８０２、ブランチ８０３、ノード８０２で構成された配電系統である。図１１の配電系統において、ノードを分割する場合、分割対象のノードはノード８０２となる。当該配電系統において、ノードを分割する場合を図１３に示すフローチャート図で説明する。
業務アプリケーション６内で生成したノード分割対象区間の上流側ノードＩＤ、下流側ノードＩＤおよび追加ノード情報を設備オブジェクト群操作装置が取得する（ステップＳ３０１）。
【００３７】
設備オブジェクト群操作装置２は上流側ノードＩＤ、下流側ノードＩＤの情報、および追加ノードの情報を設備オブジェクト群構築装置３に渡す（ステップＳ３０２）。
設備オブジェクト群構築装置３は上記ステップＳ３０２で渡された上流側ノードＩＤ、下流側ノードＩＤで特定される区間のノード情報およびブランチ情報を取得する（ステップＳ３０３）。
上記ステップＳ３０３で取得されたノード情報より、上流側ノードＩＤ、下流側ノードＩＤに対応するノードを除く、上記上流側ノードＩＤと下流側ノードＩＤで特定される区間内のノード数が１であるかどうかを判定する（ステップＳ３０４）。
上記ステップＳ３０４でノード数が２以上である場合はどのノードで分割するか判断できないため、エラーとする（ステップＳ３０４→ＮＯ）。ノード数が１の場合（ステップＳ３０４→ＹＥＳ）、設備オブジェクト群操作装置はステップＳ３０１で取得した追加ノード情報を元に新規ノード情報を作成する（ステップＳ３０５）。
【００３８】
前述ステップＳ３０３において取得した区間内のノードのノードＩＤを上流ノードＩＤとするブランチ情報を、設備オブジェクト群構築装置３が設備情報入出力装置４を介して設備情報データベース５内のブランチ台帳から取得する（ステップＳ３０６）。
設備オブジェクト群構築装置３は上記ステップＳ３０６で取得したブランチ情報の上流ノードＩＤをステップＳ３０５で生成したノードのノードＩＤに変更する（ステップＳ３０７）。
前述の各ステップで生成、変更したノード情報およびブランチ情報を設備オブジェクト群操作装置が設備情報入出力装置４を介して設備情報データベース５内のノード台帳、ブランチ台帳に格納する（ステップＳ３０８）
【００３９】
上記、実施の形態４によれば、指定した２点のノードＩＤにて特定される図１１のような系統区間において、ノードの分割を行い、図１２に示す系統を得ることが可能となる。
業務アプリケーションがノードの分割を行う際、従来では指定した２点間のノードのチェック、ノードの追加によって変更が発生するブランチ情報の取得、新規ノード情報の追加、すなわちステップＳ３０３〜ステップＳ３０８を業務アプリケーション内で行う必要があったが、設備オブジェクト群操作装置２を使用することによって、これらステップを業務アプリケーション内に持つ必要が無くなる。これによって、業務アプリケーションの製作量低減を図ることが可能となる。
また、データベースへの書き込みはステップＳ３０８でのみ発生するため、ステップの途中で何らかのエラーが発生し、処理が中断、中止されたとしてもデータベース上のデータには影響を及ぼさない。
【００４０】
実施の形態５．
上記実施の形態４では指定した２点で特定される系統区間のうち、区間内にノード情報が１点存在する場合について述べた。業務アプリケーション上での操作では、図１４に示すように、２点のノードＩＤで特定される系統区間内に他ノード情報が存在しない区間に対する操作もあるため、本実施の形態では、区間内にノード情報が存在しない場合のノード分割について、図１６に示すフローチャート図に従い説明する。
業務アプリケーション６内で生成したノード分割対象区間の上流側ノードＩＤ、下流側ノードＩＤ、追加ノード情報、追加ブランチ情報を設備オブジェクト群操作装置が取得する（ステップＳ４０１）。
【００４１】
設備オブジェクト群操作装置２は上流側ノードＩＤ、下流側ノードＩＤ、追加ノード、および追加ブランチ情報を設備オブジェクト群構築装置３に渡す（ステップＳ４０２）。
設備オブジェクト群構築装置３は上記ステップＳ４０２で渡された上流側ノードＩＤ、下流側ノードＩＤで特定される区間のノード情報およびブランチ情報を取得する（ステップＳ４０３）。
【００４２】
上記ステップＳ４０３で取得されたノード情報より、上流側ノードＩＤ、下流側ノードＩＤに対応するノードを除く、上記上流側ノードＩＤと下流側ノードＩＤで特定される区間内のノード数が０であるかどうかを判定する（ステップＳ４０４）。
上記ステップＳ４０４でノード数が０以外であった場合、エラーとする（ステップＳ４０４→ＮＯ）。ノード数が０の場合（ステップＳ４０４→ＹＥＳ）、設備オブジェクト群操作装置はステップＳ４０１で取得した追加ノード情報を元にノードを生成する（ステップＳ４０５）。
【００４３】
続いて、設備オブジェクト群操作装置は上記と同じく、ステップＳ４０１で取得した追加ブランチ情報を元にブランチを生成する（ステップＳ４０６）。
ステップＳ４０５で作成した上流側ノードＩＤ９０３のノード情報のうち、上流側ノードＩＤの情報をステップＳ４０１で取得したノードＩＤ９００に更新する（ステップＳ４０７）。
ステップＳ４０３で取得したブランチ情報のうち、下流ノードＩＤをステップＳ４０５で生成したノード情報のノードＩＤ９０３に変更する（ステップＳ４０８）。
【００４４】
前述のステップＳ４０６で生成したブランチＩＤ９０５の情報のうち、上流側ノードＩＤをステップＳ４０５で生成したノードのノードＩＤ９０４、下流側ノードＩＤをノードＩＤ９０２に変更する（ステップＳ４０９）。
続いて、ステップＳ４０１で取得した下流ノードＩＤ９０２の情報のうち、上流ノードＩＤを、ステップＳ４０５で生成したノードＩＤ９０４のノードＩＤ９０４に変更する（ステップＳ４１０）。
前述の各ステップで生成、変更したノード情報および、ブランチ情報を設備情報入出力装置４を介して設備情報データベース５内のノード台帳、ブランチ台帳に格納する（ステップＳ４１１）。
【００４５】
上記、実施の形態５によれば、指定した２点のノードＩＤにて特定される図１４のような系統区間において、ノードの分割を行い、図１５に示す系統を得ることが可能となる。業務アプリケーションがノードの分割を行う際、従来では指定した２点間のノードのチェック、ノードの追加によって変更が発生するブランチ情報取得と変更、新規ノード情報の追加、新規ブランチ情報の追加、すなわちステップＳ４０３〜Ｓ４１０を業務アプリケーション内で行う必要があったが、設備オブジェクト群操作装置２を使用することによって、これらステップを業務アプリケーション内に持つ必要が無くなる。これによって、業務アプリケーションの製作量低減を図ることが可能となる。
また、データベースへの書き込みはステップＳ４１１のみ発生するため、ステップの途中で何らかのエラーが発生し、処理が中断、中止されたとしてもデータベース上のデータには影響を及ぼさない。
【００４６】
実施の形態６．
上記、実施の形態５では、ノードの分割について述べた。実施の形態６ではノードの結合について述べる。図１７はノード結合前の系統である。上記のような系統に対して、図１８に示した結果を得る場合を例に、図２０に示したフローチャート図で説明する。
業務アプリケーション６内で生成したノード結合対象の上流側ノードＩＤ、下流側ノードＩＤを設備オブジェクト群操作装置２が取得する（ステップＳ５０１）。
設備オブジェクト群操作装置２はノード結合対象のノードＩＤを設備オブジェクト群構築装置３に渡す（ステップＳ５０２）。
【００４７】
設備オブジェクト群構築装置３は設備情報入出力装置４を介して、上記ステップＳ５０１で取得した上流側ノードＩＤを用いて、当該ノードＩＤを下流側ノードＩＤとして持つブランチ情報（以後、ブランチＡ）および、下流側ノードＩＤを用いて、当該ノードＩＤを上流側ノードＩＤして持つブランチ情報（同、ブランチＢ）を取得する（ステップＳ５０３）。
上記ステップＳ５０３によって得られたブランチＢの下流側ノード情報を取得する（ステップＳ５０４）。
同様に、上記ステップＳ５０３によって得られたブランチＡの上流側ノード情報を取得する（ステップＳ５０５）。
前述のステップＳ５０３で取得したノードＩＤを下流側ノードＩＤに持つブランチ情報に対して、ブランチ情報の下流側ノードＩＤをステップＳ５０４で取得したノードＩＤに変更することで、ブランチの接続関係を変更する（ステップＳ５０６）。
【００４８】
この状態では、下流側ノードの上流ノードＩＤが古い状態であるため、ステップＳ５０４で取得したノード情報の上流側ノードＩＤをステップＳ５０５で取得したノード情報内のノードＩＤで更新する（ステップＳ５０７）。
上記ステップＳ５０７により、ノードが統合された状態になるが、ノードの統合により発生した不要なノード情報、ブランチ情報が存在するため、前述ステップＳ５０３で取得した上流側ノード情報、下流側ノード情報、下流側ノードに対応するノードＩＤを上流側ノードＩＤとして持つブランチ情報を削除する（ステップＳ５０８）。
そして最後に前述ステップＳ５０６〜ステップＳ５０８で変更、削除したノード情報、ブランチ情報を設備情報入出力装置４を介して、設備情報データベース５のノード台帳、ブランチ台帳に反映する（ステップＳ５０９）。
【００４９】
上記、実施の形態６によれば、業務アプリケーションがノードを統合する場合に、従来であれば、統合対象のノードに関係するノードの取得、ブランチの取得やノード情報とブランチ情報の更新、不要となったノード情報、ブランチ情報の削除、データベースへの反映すなわち、ステップＳ５０３〜ステップＳ５０９を業務アプリケーション内で行う必要があったが、設備オブジェクト操作装置２を使用することによって、これらステップを業務アプリケーション内で実行する必要が無くなる。これによって、業務アプリケーションの製作量低減を図ることが可能になる。
また、データベースへの書き込みはステップＳ５０９でのみ発生するため、テップの途中で何らかのエラーが発生し、処理が中断、中止されたとしてもデータベース上のデータには影響を及ぼさない。
なお、本実施の形態６では、図１７で示したノードとブランチを図１８に示す構成に変更する場合であったが、ブランチ情報の上流側ノードＩＤおよび下流側ノードＩＤを変更することで、図１９のような変更が可能である。
【００５０】
次いで、実体設備での接続関係と設備ＩＤでの接続関係とノード・ブランチでの接続関係との関連を対比して例示する図２１によって、実施の形態１〜６に関係する補足説明をする。
【００５１】
図２１（ａ）は設備ＩＤで一意に識別される設備の接続関係を模式的に図示したものである。楕円は設備を示し、楕円内の文字列は設備ＩＤを示す。楕円と楕円を結ぶ実線は設備間の関連を示すだけであり、それ自体設備を示すものではない。各設備ＩＤに対応する設備は図３に示したものである。
【００５２】
（ｂ）は設備ＩＤに対応する設備情報を設備の実体として置き換え、模式的に図示したものである。白黒の半円の組合せが電柱を示し、電柱間の実線は電線を示している。また、０２３，０３６はそれぞれ開閉器であるが、０２３は開閉器が閉じられた状態（導通状態），０３６は開閉器が開いた状態（絶縁状態）である。０１３は分岐であり、電気の流れを複数に分岐する。なお、図２１（ｂ）では開閉器、分岐の端点を黒色点で記載し、接続関係を分かりやすくしている。
【００５３】
（Ｃ）は実体設備のうち、始点、終点、分岐、開閉器をノード（図中の白丸）で示し、電線および電柱をブランチ（図中実線）で表したものである。ノードに付与した文字列は、対応する設備ＩＤを示している。０２３，０３６は開閉器であるが、１ノードで表される０２３は導通状態であることを示し、２ノードで表される０３６は絶縁状態であることを示す。図２１（ａ）、図２１（ｂ）と比較すると、より少ない情報量で接続関係を示すことが可能であることがわかる。
【００５４】
次に、実体設備での系統切替前および系統切替後のそれぞれの電気の流れを例示する図２２により、実施の形態１〜６に関係する補足説明をする。
【００５５】
図２２は系統切替による系統ＩＤの変更の事例を示す図であり、図２２（ａ）で示された系統では、変電所Ａから図右側に向って電気が流れている。ここで変電所Ａからの電気が供給される系統について、一意で識別可能な系統ＩＤ（系統ＩＤ＝Ｋ００１）を付与する。変電所Ｂからは図左側に向って電気が供給されているが、開閉器Ａが開いている状態（絶縁状態）であるため、これ以上左側に向って電気が流れることはない。同様に，変電所Ｂから供給される系統を識別するため、系統ＩＤ＝Ｋ０１０を付与する。
【００５６】
図２２（ｂ）では，開閉器Aが閉じられており（導通状態）、開閉器Bが開いている状態（絶縁状態）である。これにより、変電所Ａからは開閉器Ａを経由して開閉器Ｂのところまで電気が流れることになり、開閉器Ａから開閉器Ｂの間で電気の流れが変わる。すなわち、開閉器Ａから開閉器Ｂの間は所属する系統が変わるため，系統ＩＤが変わる（Ｋ００１→Ｋ０１０）
【００５７】
なお、前述のように、前述の実施の形態１〜６は、親子関係が存在する設備情報において、選択した任意の設備から当該設備に関連する設備を下位に向って特定、抽出する手段を備えた設備情報管理装置であり、
また、親子関係が存在する設備情報において、選択した任意の設備から当該設備に関連する設備を上位に向って特定、抽出する手段を備えた設備情報管理装置であり、
また、親子関係が存在する設備情報において、親子間に新たな設備情報を追加する手段を備えた設備情報管理装置であり、
また、親子関係が存在する設備情報において、任意の設備で親子関係を分離する手段を備えた設備情報管理装置であり、
また、親子関係が存在する設備情報において、親子間に設備を追加して親子関係を分離する手段を備えた設備情報管理装置であり、
また、親子関係が存在する設備情報において、任意の設備を指定して親子関係を統合する手段を備えた設備情報管理装置である。
また、複数の設備オブジェクト間に制約関係が存在する場合、操作対象に関係する設備オブジェクト群を抽出し、設備オブジェクト群に一括して操作を適用することで、業務アプリケーションの製作工数を低減し、データ間の不整合を無くす電力設備管理システムであり、設備情報管理装置である。
また、操作対象の設備オブジェクトに関係する他の設備オブジェクトが存在する場合、直接関係ある設備だけでなく間接的に関係する設備も含めて一括で電力設備状態の変更操作をする仕組みを提供するものである。
【００５８】
また、前述のように、前述の実施の形態１〜６は、電力設備の設備情報を格納する設備情報データベース、上記設備情報データベースから上記設備情報を入出力する設備情報入出力装置、上記設備情報入出力装置を介して上記設備情報データベースから得た設備情報から接続関係および電気の流れの関係で特定の設備に関係を持つ設備オブジェクト群を構築する設備オブジェクト群構築装置、上記設備オブジェクト群構築装置によって得られた設備オブジェクト群を操作する設備オブジェクト群操作装置、および電力設備の管理を行う業務アプリケーションを備え、上記業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行する電力設備管理システムである。
また、電力設備の管理を行う業務アプリケーション、電力設備の設備情報を格納する設備情報データベース、および上記設備情報データベースから上記設備情報を入出力する設備情報入出力装置、上記設備情報入出力装置を介して上記設備情報データベースから得た設備情報から接続関係および電気の流れの関係で特定の設備に関係を持つ設備オブジェクト群を構築する設備オブジェクト群構築装置、および上記設備オブジェクト群構築装置によって得られた設備オブジェクト群を操作する設備オブジェクト群操作装置を有する設備情報処理装置を備え、上記業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行する電力設備管理システムである。
また、上記設備情報は、電気の流れの上流側の電力設備を親、電気の流れの下流側の電力設備を子とした親子関係が存在する設備情報であり、上記設備オブジェクト群構築装置が、所定の上記電力設備から当該電力設備に関連する上記電力設備を上記下流側に向かって特定することにより上記設備オブジェクト群を構築する電力設備管理システムである。
また、上記設備情報は、電気の流れの上流側の上記電力設備を親、電気の流れの下流側の上記電力設備を子とした親子関係が存在する設備情報であり、上記設備オブジェクト群構築装置が、所定の上記電力設備から当該電力設備に関連する電力設備を上記上流側に向かって特定することにより上記設備オブジェクト群を構築する電力設備管理システムである。
また、上記親の電力設備と上記子の電力設備との間に新たな電力設備を追加することを特徴とする電力設備管理システムである。
また、所定の上記電力設備で親子関係を分離する電力設備管理システムである。
また、上記親の電力設備と上記子の電力設備との間に新たな電力設備を追加して上記親子関係を分離する電力設備管理システムである。
また、所定の上記電力設備を指定して複数の親子関係の電力設備を統合して新たな親子関係の電力設備を構築する電力設備管理システムである。
また、電力設備の設備情報を格納する設備情報データベースから上記設備情報を入出力する設備情報入出力装置、上記設備情報入出力装置を介して上記設備情報データベースから得た設備情報から接続関係および電気の流れの関係で特定の設備に関係を持つ設備オブジェクト群を構築する設備オブジェクト群構築装置、および上記設備オブジェクト群構築装置によって得られた設備オブジェクト群を操作する設備オブジェクト群操作装置を備え、業務アプリケーションからの電力設備状態の変更操作により上記設備オブジェクト群操作装置を介して上記設備オブジェクト群の電力設備状態の変更をすることで上記設備オブジェクト群に含まれる設備オブジェクトの電力設備状態の変更を一括して実行する電力設備情報処理装置である。
また、上記設備情報は、電気の流れの上流側の電力設備を親、電気の流れの下流側の電力設備を子とした親子関係が存在する設備情報であり、上記設備オブジェクト群構築装置が、所定の上記電力設備から当該電力設備に関連する上記電力設備を上記下流側に向かって特定することにより上記設備オブジェクト群を構築する電力設備情報処理装置である。
また、上記設備情報は、電気の流れの上流側の上記電力設備を親、電気の流れの下流側の上記電力設備を子とした親子関係が存在する設備情報であり、上記設備オブジェクト群構築装置が、所定の上記電力設備から当該電力設備に関連する電力設備を上記上流側に向かって特定することにより上記設備オブジェクト群を構築する電力設備情報処理装置である。
また、上記親の電力設備と上記子の電力設備との間に新たな電力設備を追加する電力設備情報処理装置である。
また、所定の上記電力設備で親子関係を分離する電力設備情報処理装置である。
また、上記親の電力設備と上記子の電力設備との間に新たな電力設備を追加して上記親子関係を分離する電力設備情報処理装置である。
また、所定の上記電力設備を指定して複数の親子関係の電力設備を統合して新たな親子関係の電力設備を構築する電力設備情報処理装置である。
【００５９】
なお、本発明は、その発明の範囲内において、各実施の形態を適宜、変形、省略することができる。
なお、各図中、同一符合は同一または相当部分を示す。
【符号の説明】
【００６０】
１    電力設備情報処理装置、        ２    設備オブジェクト群操作装置、
３    設備オブジェクト群構築装置、  ４    設備情報入出力装置、
５    設備情報データベース、        ６    業務アプリケーション。
【図１】
2014191395.tif 000003
【図２】
2014191395.tif 000004
【図３】
2014191395.tif 000005
【図４】
2014191395.tif 000006
【図７】
2014191395.tif 000007
【図８】
2014191395.tif 000008
【図９】
2014191395.tif 000009
【図１１】
2014191395.tif 000010
【図１２】
2014191395.tif 000011
【図１４】
2014191395.tif 000012
【図１５】
2014191395.tif 000013
【図１７】
2014191395.tif 000014
【図１８】
2014191395.tif 000015
【図１９】
2014191395.tif 000016
【図５】
2014191395.tif 000017
【図６】
2014191395.tif 000018
【図１０】
2014191395.tif 000019
【図１３】
2014191395.tif 000020
【図１６】
2014191395.tif 000021
【図２０】
2014191395.tif 000022
【図２１】
2014191395.tif 000023
【図２２】
2014191395.tif 000024